(57)【要約】【課題】操作表示部自体に汚れが付着しないよう、前面扉部が小さくならないように、視認性、操作性の高い操作表示部を構成する。【解決手段】機体の前面に配設された前扉２１には操作表示手段２０があり、これらが一体化している。この表示面に対して赤外線センサからなる非接触光センサを表示画面周辺部に設置して、この光センサで表示画面上にある、動かしている指を検知することによって、その指の位置情報を操作表示手段２０にフィードバックし、画面遷移を実行している。また、洗濯乾燥機１の前に使用者が来て洗濯機を使用しようとすると、それを赤外線センサからなる光センサで検知し、操作表示手段２０の画面が表示される。【選択図】図１
2017131387.tif 000002
【特許請求の範囲】
【請求項１】
被洗濯物である衣類を収容する回転ドラムと、前記回転ドラムを回転可能に内装した外槽と、前記回転ドラムの前面に配設された開閉部と、洗濯運転を制御する制御手段と、前記洗濯運転の内容を表示する操作表示手段とを備え、前記操作表示手段は、前記開閉部の前面に画像表示させる画像表示手段と、前記画像表示手段に表示された画像に対する操作を検知する操作検知手段を備えた洗濯機。
【請求項２】
前記画像表示手段は、前記開閉部の扉前部と一体となった薄体画面からなり、前記操作検知手段は、表示された画像に対する操作を非接触センサで検知・操作するようにした請求項１に記載の洗濯機。
【請求項３】
前記開閉部が閉じられ、前記操作検知手段で人体を検知すると前記画像表示手段に画像が表示される請求項１〜２のいずれか１項に記載の洗濯機。
【請求項４】
前記開閉部が閉じられ、前記操作検知手段で人体を検知しなくなると前記画像表示手段の画像表示を終了し、画面を透明にするようにした請求項１〜３のいずれか１項に記載の洗濯機。
【請求項５】
前記画像表示手段の表示の有無は切り替え可能とし、非表示の時は前記画像表示手段が透明になるようにした請求項１〜４のいずれか１項に記載の洗濯機。
【請求項６】
前記操作検知手段は、赤外線センサから成る光センサや静電容量センサからなる非接触センサであるようにした請求項１〜５のいずれか１項に記載の洗濯機。
【請求項７】
前記画像表示手段は、有機ＥＬを用いたり、薄体液晶を用いたりした自発光画面で構成されたものである請求項１〜６のいずれか１項に記載の洗濯機。
【発明の詳細な説明】
【技術分野】
【０００１】
本発明は、洗濯機の操作表示に関するものである。
【背景技術】
【０００２】
近年、洗濯機はドラム式が主流となってきており、使い勝手をよくするために操作表示板は機体の上部前面に設置されたものがほとんどである。
【０００３】
従来、この種の洗濯機は図６に示すような構成のものであり、前面上部に操作部および表示部を備えたパネルから成っている。表示は液晶パネルで、操作はタッチセンサで構成されている（例えば、特許文献１参照）。
【先行技術文献】
【特許文献】
【０００４】
【特許文献１】特開２０１１−５６１４５号公報
【発明の概要】
【発明が解決しようとする課題】
【０００５】
しかしながら上記従来のドラム式洗濯機では、洗濯物を投入する投入口を開閉するための蓋部が、機体の前面の大部分を占めており、操作部や表示部の占める面積が小さく、操作しにくく使い難かったという問題があった。
【０００６】
また、逆に操作表示部を大きくすると、洗濯物を投入する投入口を十分大きくすることができなくなるため、毛布等の大きな洗濯物を投入しづらくなるという課題があった。
【０００７】
また、操作部を指で触る時に、指が汚れていると操作部自体に汚れが付着してしまい、操作部が汚くなり、次にきれいな指で触った時に逆に指が汚れたり、また指で正しく触れてもうまく動作しなかったり、誤動作したりする原因にもなった。
【０００８】
さらに、操作部や表示部の表面が汚れると、見にくくなり操作しにくくなるという課題があった。
【０００９】
本発明は、上記従来のドラム式洗濯機が有している課題を解決するものであり、操作表示部が開閉扉前面に大きく表示されており、非常に見やすい構成から成っており、その前面において指の位置をセンサで検知し、操作部の動作を指で直接触れることなく非接触で容易に行うことができ、操作表示部を汚すことなく、洗剤等で汚くなった指で触れても、誤動作することなく、効率良く正確に操作表示部の操作を行うことができ、操作表示部が見やすく操作しやすいドラム式洗濯機を提供することを目的としているものである。
【課題を解決するための手段】
【００１０】
前記従来の課題を解決するために、本発明のドラム式洗濯機は、被洗濯物である衣類を収容する回転ドラムと、前記回転ドラムを回転可能に内装した外槽と、前記回転ドラムの前面に配設された開閉部と、洗濯運転を制御する制御手段と、前記洗濯運転の内容を表示する操作表示手段とを備え、前記操作表示手段は、前記開閉部の前面に画像表示させる画像表示手段と、前記画像表示手段に表示された画像に対する操作を検知する操作検知手段を備えた洗濯機を提供するものである。
【００１１】
このようにすることによって、操作表示部が機体の前面扉部に大きく表示されており、
非常に見やすい構成から成っており、その前面において指の位置をセンサで検知し、操作部の動作を指で直接触れることなく非接触で容易に行うことができ、操作表示部を汚すことなく、洗剤等で汚くなった指で触れても、誤動作することなく、操作表示部が見やすく操作しやすい、効率良く正確に操作表示部の操作を行うことができ、洗濯に対する正確性、信頼性を高めるようにしたものである。
【発明の効果】
【００１２】
以上のように、本発明の洗濯機によれば、操作表示部を機体の扉前面部に大きく表示することができ、視認性がよく見やすくなり、またそれにより操作が容易となり、使い勝手が非常によくなる。また、機体の前面扉部に表示させ、非接触センサで操作検知を行い、見やすく扱いやすい操作表示となり、汚れた手での操作も容易に可能となり、洗剤等で汚くなった指で触れても、操作表示部を汚すことなく、誤動作することなく、操作表示部の操作性が向上し、効率良く正確に操作表示部の操作を行うことができ、洗濯に対する正確性、信頼性を確実に向上させることができるという効果を有するものである。
【００１３】
また、扉前面部に表示することによって、洗濯物を投入する投入口を十分大きくすることができ、毛布等の大きな洗濯物も投入しやすくなるという効果を有するものである。
【図面の簡単な説明】
【００１４】
【図１】本発明の第１の実施の形態で用いる洗濯乾燥機の斜めから見た概略模式図
【図２】同実施の形態で用いる洗濯乾燥機の側面から見た概略断面図
【図３】同実施の形態で用いる洗濯乾燥機の処理手順を示すフローチャート
【図４】本発明の第２の実施の形態で用いる洗濯乾燥機の処理手順を示すフローチャート
【図５】本発明の第３の実施の形態で用いる洗濯乾燥機の処理手順を示すフローチャート
【図６】従来の洗濯機の概略模式図
【発明を実施するための形態】
【００１５】
第１の発明は、被洗濯物である衣類を収容する回転ドラムと、前記回転ドラムを回転可能に内装した外槽と、前記回転ドラムの前面に配設された開閉部と、洗濯運転を制御する制御手段と、前記洗濯運転の内容を表示する操作表示手段とを備え、前記操作表示手段は、前記開閉部の前面に画像表示させる画像表示手段と、前記画像表示手段に表示された画像に対する操作を検知する操作検知手段を備えた洗濯機を提供するものである。
【００１６】
これによって、本発明は、操作表示部が機体の扉部に大きく表示されており、非常に見やすい構成から成っており、その表示面の前面において指の位置をセンサで検知し、操作部の動作を指で直接触れることなく非接触で容易に行うことができ、洗剤等で汚くなった指で触れても、操作表示部を汚すことなく、誤動作することなく、効率良く正確に操作表示部の操作を行うことができ、操作表示部が見やすく操作しやすく、洗濯に対する操作性、視認性、正確性、信頼性を確実に向上させることができるものである。
【００１７】
第２の発明は、第１の発明の構成に加え、前記画像表示手段は、前記開閉部の扉前部と一体となった薄体画面からなり、前記操作検知手段は、表示された画像に対する操作を非接触センサで検知・操作するようにした洗濯機を提供するものである。
【００１８】
これによって、本発明は、操作表示部と扉部が一体となることによって、操作表示部を大きくすることができ、また扉部も大きくすることができるので、大きな洗濯物も容易に投入することができ、また操作表示部が見やすく操作しやすく、洗濯に対する操作性、視認性、正確性、信頼性を確実に向上させることができるものである。
【００１９】
第３の発明は、第１または第２の発明の構成に加え、前記開閉部が閉じられ、前記操作検知手段で人体を検知すると前記画像表示手段に画像が表示される洗濯機を提供するものである。
【００２０】
これによって、本発明は、操作者が洗濯機の前に来て、前面扉を閉めて操作を行う時に表示させることができ、操作表示部が見やすく操作しやすく、洗濯に対する操作性、視認性、正確性、信頼性を確実に向上させることができるものである。
【００２１】
第４の発明は、第１から第３いずれかひとつの発明の構成に加え、前記開閉部が閉じられ、前記操作検知手段で人体を検知しなくなると前記画像表示手段の画像表示を終了し、画面を透明にするようにした洗濯機を提供するものである。
【００２２】
これによって、本発明は、操作者が洗濯機の操作をしなくなった時に非表示とし、画面を透明にすることによって、槽内が見えるようにすることができ、操作表示部で操作するときのみに表示することができ、洗濯に対する操作性、視認性、正確性、信頼性を確実に向上させることができるものである。
【００２３】
第５の発明は、第１から第４のいずれか１つの発明の構成に加え、前記画像表示手段の表示の有無は切り替え可能とし、非表示の時は前記画像表示手段が透明になるようにした洗濯機を提供するものである。
【００２４】
これによって、本発明は、操作者が洗濯機の操作をしなくなった時に非表示とし、画面を透明にすることによって、槽内が見えるようにすることができ、操作者が切り替えることによって操作するときのみに表示することができ、洗濯に対する操作性、視認性、正確性、信頼性を確実に向上させることができるものである。
【００２５】
第６の発明は、第１から第５のいずれか１つの発明の構成に加え、前記操作検知手段は、赤外線センサから成る光センサや静電容量センサからなる非接触センサであるようにした洗濯機を提供するものである。
【００２６】
これによって、本発明は、操作者の指の位置を正確に検知することができ、操作表示部が見やすく操作しやすくなり、洗濯に対する操作性、視認性、正確性、信頼性を確実に向上させることができるものである。
第７の発明は、第１ないし第６いずれか１つの発明の構成に加え、前記画像表示手段は、有機ＥＬを用いたり、薄体液晶を用いたりした自発光画面で構成された洗濯機を提供するものである。
【００２７】
これによって、本発明は、操作表示部の画面が非表示の時透明にすることができ、槽内が見えるようになり、洗濯に対する操作性、視認性、正確性、信頼性を確実に向上させることができるものである。
【００２８】
また、洗濯乾燥機の運転方法において、衣類の容量や衣類の質を検知する検知工程、及び、前記検知工程の後、乾燥状態を判定する判定工程と、前記検知結果と判定結果をフィードバックさせて前記洗濯機の乾燥後の遅延時間を制御する乾燥工程とを少なくとも一部をコンピュータに実行させるためのプログラムを提供するものである。
【００２９】
そして、これら制御方法はプログラムであるので、電気・情報機器、コンピュータ、サーバ等のハードリソースを協働させて本発明の洗濯乾燥機の運転方法の少なくとも一部を容易に実現することができる。また記録媒体に記録したり通信回線を用いてプログラムを
配信したりすることでプログラムの配布・更新やそのインストール作業が簡単にできる。
【００３０】
以下、本発明の実施の形態について、図面を参照しながら説明する。
【００３１】
（実施の形態１）
本発明の実施の形態の洗濯乾燥機において、本発明の動作について図面を参照しながら説明する。図１は、本発明の第１の実施の形態で用いる洗濯乾燥機の斜めから見た概略模式図を、図２は同実施の形態で用いる洗濯乾燥機の側面から見た概略模式図を示すものである。以下に本実施の形態における構成を説明する。
【００３２】
図１、２において、１は洗濯乾燥機本体、２１は衣類投入口である前扉、２０は前扉２１の表面に設置された操作表示手段を示している。操作表示手段２０は、液晶や有機ＥＬから成る高輝度自発光表示画面と、赤外線センサである光センサや高感度静電容量センサである非接触センサから成る操作手段とから構成される。これら操作手段は非接触センサとして表示画面上での指の位置を検知するものである。
【００３３】
液晶画面からなる操作表示手段２０上に洗濯乾燥機１の操作画面が表示される。この表示画面に対して赤外線センサからなる光センサを画面側部に設置して、この光センサで表示面の位置にある、操作している指を検知することによって、その指の位置情報を操作表示手段２０にフィードバックし、画面遷移を実行している。
【００３４】
今、洗濯乾燥機１の前に使用者が来て洗濯乾燥機を使用しようとして前面扉に触れようとすると、それを赤外線センサからなる光センサで検知し、表示画面が表示される。その表示画面上で使用者が指を動かすと、その指の位置を光センサで検知して、その指の位置情報を操作表示手段２０にフィードバックし、操作表示手段２０内で画面遷移が実行される。
【００３５】
このようにすることによって、使用者の正面に操作表示部を機体の扉前面部に大きく表示することができ、視認性がよく見やすくなり、またそれにより操作が容易となり、使い勝手が非常によくなる。また、機体の前面扉部に表示させ、非接触センサで操作検知を行い、見やすく扱いやすい操作表示となり、汚れた手での操作も容易に可能となり、洗剤等で汚くなった指で触れても、操作表示部を汚すことなく、誤動作することなく、操作表示部の操作性が向上し、効率良く正確に操作表示部の操作を行うことができ、洗濯乾燥に対する正確性、信頼性を確実に向上させることができる。
【００３６】
また、扉前面部に表示することによって、洗濯物を投入する投入口を十分大きくすることができ、毛布等の大きな洗濯物も投入しやすくなる。
【００３７】
なお、操作表示手段２０の表示面は自発光する高輝度有機ＥＬでもよく、また操作部は高感度な非接触型静電容量センサでもよい。
【００３８】
操作表示画面からの配線は、扉と機体との間のヒンジ部を経由して、機体の制御回路と接続されている。
【００３９】
次に、図１に示された洗濯乾燥機において、本発明の動作について図面を参照しながら説明する。図３は同実施の形態に係る洗濯乾燥機の処理手順を示すフローチャートを示すものである。以下に本実施の形態におけるフローを説明する。
【００４０】
まず、機体前面扉部には操作表示手段２０があり、前面扉部と表示面とが一体化している。また、機体前面扉部に設置した赤外線センサからなる光センサで、操作表示手段２０
上の指および機体前面の使用者を検知するようにする。
【００４１】
まず、洗濯乾燥機の使用者が機体前面に来て、機体の電源をＯＮする（ステップＳ０）と、扉前面に設置された操作表示手段２０に表示画面が表示される（ステップＳ１）。次に、使用者はこの表示面において、通常の液晶画面を操作するように洗濯乾燥機の洗濯レベルや様々の設定を行うことができる（ステップＳ２）。この表示面の周辺には赤外線センサからなる光センサが設置されており、画面上での指の位置を非接触で検知することができる。条件設定後、使用者は前面扉を開けて、洗濯衣類を回転ドラム２内に投入し（ステップＳ３）、前面扉が閉められたかどうかを判断し（ステップＳ４）、閉められていれば運転開始ボタンタッチにより洗濯乾燥運転を開始する（ステップＳ５）。次に、表示画面上において操作を終了し、人が居なくなったと判断したら（ステップＳ６）、表示画面を閉じて何も見えない状態にする（ステップＳ７）。この時、表示画面は透明となり、槽内の衣類が見える状態となる。洗濯乾燥運転が終了する（ステップＳ１０）と、操作表示手段２０の画面が表示（ステップＳ１１）されて、洗濯乾燥運転終了を報知する。
【００４２】
また、洗濯乾燥運転途中で機体前面に人が来て前面扉部を操作しようとして人が近づいたと判断すると（ステップＳ８）、操作表示手段２０の画面を表示（ステップＳ９）させて、現在の運転状況を示すことができる。
【００４３】
このように、操作表示面を前扉に大きく表示させることによって、画面が非常に見やすくなり視認性も向上し、さらに赤外線センサ等の反射型光センサで指位置を検知することによって、洗剤等で汚れた手でも表示面の操作を容易に非接触で行うことができ、また操作表示面を汚すこともなく、使い勝手のいい操作表示部を構成することができる。
【００４４】
また、洗濯乾燥機を通常使用していない時には、操作表示面が表示されていなく透明となり、槽内を見ることができるので、衣類のチェックを行うことができ、また、使用したい時に使用者が機体の前面に来た時に、初めて操作表示面が表示されることによって、省エネにもなり、操作表示面を機体上部に別途取り付ける必要がないので、前面扉を大きくすることができ、衣類が入れやすくなるというメリットもある。
【００４５】
これによって、本実施の形態によると、操作表示部を機体の扉前面部に大きく表示することができ、視認性がよく見やすくなり、またそれにより操作が容易となり、使い勝手が非常によくなる。また、機体の前面扉部に表示させ、非接触センサで操作検知を行い、見やすく扱いやすい操作表示となり、汚れた手での操作も容易に可能となり、洗剤等で汚くなった指で触れても、操作表示部を汚すことなく、誤動作することなく、操作表示部の操作性が向上し、効率良く正確に操作表示部の操作を行うことができ、洗濯乾燥に対する正確性、信頼性を確実に向上させることができるものである。
【００４６】
また、扉前面部に表示することによって、洗濯物を投入する投入口を十分大きくすることができ、毛布等の大きな洗濯物も投入しやすくなるものである。
【００４７】
本発明は、業務用の洗濯乾燥機でもよく、また乾燥手段のない洗濯機にも適用できる。
【００４８】
（実施の形態２）
次に、図４は第２の実施の形態に係る洗濯乾燥機の処理手順を示すフローチャートを示すものである。以下に本実施の形態におけるフローを説明する。
【００４９】
図１に示された洗濯乾燥機において、本発明の動作について図面を参照しながら説明する。まず、操作表示手段２０は、液晶や有機ＥＬから成る高輝度自発光表示画面と、赤外線センサである光センサや高感度静電容量センサである非接触センサから成る操作手段と
から構成される。これら操作手段は非接触センサとして表示画面上での指の位置を検知するものである。
【００５０】
まず、洗濯乾燥機の使用者が機体前面に来て、機体の電源をＯＮ（ステップＳ０）し、使用者は前面扉を開けて、洗濯衣類を回転ドラム２内に投入する（ステップＳ１）。前面扉が閉まったことを確認して（ステップＳ２２）、操作表示手段２０の画面が表示される（ステップＳ２３）。次に、使用者はこの表示画面において、通常の液晶画面を操作するように洗濯乾燥機の洗濯レベルや様々の設定を空間操作で行うことができる（ステップＳ２４）。この表示面の周辺には赤外線センサからなる光センサが設置されており、画面上での指の位置を非接触で検知することができる。条件設定後、運転開始ボタンタッチにより洗濯乾燥運転を開始する（ステップＳ２５）。光センサで画面操作の情報を検知しなくなり、機体前面に人が居なくなったと判断したら（ステップＳ２６）、表示画面を閉じて何も見えない状態にする（ステップＳ２７）。この時、扉全体は透明となり槽内が見えるようになる。次に、光センサで画面操作の情報を検知して、機体前面に人が居ると判断したら（ステップＳ２８）、空間表示画面を開いて見える状態にする（ステップＳ２９）。
【００５１】
人が居ない状態で洗濯乾燥運転が終了する（ステップＳ３０）と、表示画面が表示（ステップＳ３１）されて、洗濯乾燥運転終了を報知し現在の状況および過去の履歴を示すことができる。
【００５２】
このように、操作表示面を前扉に大きく表示させることによって、画面が非常に見やすくなり視認性も向上し、さらに赤外線センサ等の反射型光センサで指位置を検知することによって、洗剤等で汚れた手でも表示面の操作を容易に非接触で行うことができ、また操作表示面を汚すこともなく、使い勝手のいい操作表示部を構成することができる。
【００５３】
また、洗濯乾燥機を通常使用していない時には、操作表示面が表示されていなく透明となり、槽内を見ることができるので、衣類のチェックを行うことができ、また、使用したい時に使用者が機体の前面に来た時に、初めて操作表示面が表示されることによって、省エネにもなり、操作表示面を機体上部に別途取り付ける必要がないので、前面扉を大きくすることができ、衣類が入れやすくなるというメリットもある。
【００５４】
これによって、本実施の形態によると、操作表示部を機体の扉前面部に大きく表示することができ、視認性がよく見やすくなり、またそれにより操作が容易となり、使い勝手が非常によくなる。また、機体の前面扉部に表示させ、非接触センサで操作検知を行い、見やすく扱いやすい操作表示となり、汚れた手での操作も容易に可能となり、洗剤等で汚くなった指で触れても、操作表示部を汚すことなく、誤動作することなく、操作表示部の操作性が向上し、効率良く正確に操作表示部の操作を行うことができ、洗濯乾燥に対する正確性、信頼性を確実に向上させることができるものである。
【００５５】
（実施の形態３）
次に、図５は第３の実施の形態に係る洗濯乾燥機の処理手順を示すフローチャートを示すものである。以下に本実施の形態におけるフローを説明する。
【００５６】
図１に示された洗濯乾燥機において、本発明の動作について図面を参照しながら説明する。操作表示手段２０は、液晶や有機ＥＬから成る高輝度自発光表示画面と、赤外線センサである光センサや高感度静電容量センサである非接触センサから成る操作手段とから構成される。これら操作手段は非接触センサとして表示画面上での指の位置を検知するものである。
【００５７】
まず、洗濯乾燥機の使用者が機体前面に来て、機体の電源をＯＮする（ステップＳ０）
と、操作表示手段２０の画面が表示される（ステップＳ１）。次に、使用者はこの表示画面において、通常の液晶画面を操作するように洗濯乾燥機の洗濯レベルや様々の設定を行うことができる（ステップＳ２）。この表示面の周辺には赤外線センサからなる光センサが設置されており、画面上での指の位置を非接触で検知することができる。条件設定後、使用者は前面扉を開けて、洗濯衣類を回転ドラム２内に投入し（ステップＳ３）、前面扉が閉められたかどうかを判断して（ステップＳ４）、扉が閉められていれば運転開始ボタンタッチにより洗濯乾燥運転を開始する（ステップＳ５）。扉が閉められているので、表示画面は扉上の操作表示画面上で表示されている。この時表示切替操作が行われると（ステップＳ４６）、画面の表示・非表示の切り替えを行うことができ、表示画面を閉じて何も見えない状態にすることができる（ステップＳ４７）。画面非表示の場合は、扉全体が透明になるので槽内の状況を見ることができる。表示切替操作は例えば、手を画面上で左上から右下に動かした動作の時とする。
【００５８】
このように、操作表示面を前面扉上に大きく表示させることによって、使用者の前面に大きく正確に表示させることができるので、画面が非常に見やすくなり視認性も向上し、さらに赤外線センサ等の反射型光センサで指位置を非接触で検知することによって、洗剤等で汚れた手でも表示面の操作を容易にソフトタッチで行うことができ、また操作表示面を汚すこともなく、使い勝手のいい操作表示部を構成することができる。また、表示画面を任意に表示・非表示に切り替えて、画面を透明にすることによって、いつでも槽内を見ることができるようになる。
【００５９】
以上のように、本実施の形態によると、操作表示部を機体の前面扉部に大きく正確に表示することができ、視認性がよく見やすくなり、またそれにより操作が容易となり、使い勝手が非常によくなる。また、機体の前面扉部に表示させ、非接触センサで操作検知を行い、見やすく扱いやすい操作表示となり、汚れた手での操作も容易に可能となり、洗剤等で汚くなった指で触れても、操作表示部を汚すことなく、誤動作することなく、操作表示部の操作性が向上し、効率良く正確に操作表示部の操作を行うことができ、洗濯乾燥に対する正確性、信頼性を確実に向上させることができるものである。
【００６０】
また、これらの洗濯乾燥機の制御手段で上記運転方法を行うためには、ＣＰＵコンピュータに実行させるためのプログラムを記録したことを特徴とするコンピュータ読み取り可能な独自のプログラムが必要である。本実施の形態で説明した手段は、ＣＰＵ（またはマイコン）、ＲＡＭ、ＲＯＭ、記憶・記録装置、Ｉ／Ｏなどを備えた電気・情報機器、コンピュータ、サーバ等のハードリソースを協働させるプログラムの形態で実施してもよい。プログラムの形態であれば、磁気メディアや光メディアなどの記録媒体に記録したりインターネットなどの通信回線を用いて配信することで新しい機能の配布・更新やそのインストール作業が簡単にできる。
【産業上の利用可能性】
【００６１】
以上のように、本発明は、洗濯機の操作表示部を機体の前面扉部に表示させることによって、見易く認識しやすい表示画面を構成することができ、また画面に指を接触せずに操作することができるので、操作性も楽で、表示画面が汚れることもなく、操作することができるので、洗濯の操作表示に対する正確性、信頼性を確実に向上させることができ、家庭用の洗濯機に対して有用である。
【００６２】
また、家庭用に限らずオフィスや工場等の業務用などにおいても利用可能である。
【符号の説明】
【００６３】
１  洗濯乾燥機
２  回転ドラム
２０  操作表示手段
２１  前扉
【図１】
2017131387.tif 000003
【図２】
2017131387.tif 000004
【図３】
2017131387.tif 000005
【図４】
2017131387.tif 000006
【図５】
2017131387.tif 000007
【図６】
2017131387.tif 000008